(57)【要約】【課題】  背面押しの状態と対面押しの状態とに切換え可能な押棒を備えた乳母車に適した乳母車用カバーを提供する。【解決手段】  乳母車用カバー１０は、背面押しの状態と対面押しの状態とに切換え可能な押棒１を備える乳母車に適用されるものである。乳母車用カバー１０は、前後方向に延在する中央カバー部分１１と、この中央カバー部分１１の両側縁に接続された左右の側面カバー部分１２とを有する。各側面カバー部分１２には、押棒１を通過させ、この押棒１の回動運動を許容するスリット１７が設けられている。【選択図】      図３
2006224711.tif 000002
【特許請求の範囲】
【請求項１】
その下端部が車体に回動可能に連結され、背面押しの状態と対面押しの状態とに切換え可能な押棒を備える乳母車用カバーであって、
前後方向に延在する中央カバー部分と、この中央カバー部分の両側縁に接続された左右の側面カバー部分とを有し、
前記各側面カバー部分には、押棒を通過させ、この押棒の回動運動を許容するスリットが設けられている、乳母車用カバー。
【請求項２】
前記スリットには、任意の部位を開閉可能とする開閉手段が設けられている、請求項１に記載の乳母車用カバー。
【請求項３】
前記スリットの一方端は、前記各側面カバー部分の下端縁にまで延びている、請求項１または２に記載の乳母車用カバー。
【請求項４】
前記スリットには、前記各側面カバー部分の下端縁から上方に延びた縦スリットが連絡している、請求項１または２に記載の乳母車用カバー。
【請求項５】
前記開閉手段は、前記スリットに沿って設けられたスライドファスナを含む、請求項１〜４のいずれかに記載の乳母車用カバー。
【請求項６】
前記スライドファスナは、スリットに沿って設けられたスライドレールと、前記スライドレールに沿って移動可能な２個のスライダとを含む、請求項５に記載の乳母車用カバー。
【請求項７】
前記開閉手段は、前記スリットに沿って配置された複数の止めボタンを含む、請求項１〜４のいずれかに記載の乳母車用カバー。
【請求項８】
前記中央カバー部分に形成された窓と、
前記窓の縁部に設けられた縁部連結部材とをさらに備え、
前記縁部連結部材は、前記窓を折り曲げた状態にして、窓の一方の縁部と他方の縁部とを連結して窓を袋状の形態にするものである、請求項１〜７のいずれかに記載の乳母車用カバー。
【請求項９】
前記縁部連結部材は、前記窓の一方の縁部に沿って設けられた第１縁部スライドレールと、前記窓の他方の縁部に沿って設けられた第２縁部スライドレールと、前記第１縁部スライドレールと前記第２縁部スライドレールとに沿って移動し、両者を係合させる縁部スライダとを含む、請求項８に記載の乳母車用カバー。
【発明の詳細な説明】
【技術分野】
【０００１】
この発明は、乳母車を覆うためのカバーに関するものである。
【背景技術】
【０００２】
乳母車用カバーは、例えば実開平５−３２２２１号公報（特許文献１）や実用新案登録第３０９４７２０号公報（特許文献２）に開示されている。これらの公報に開示された乳母車用カバーは、背面押しの状態で固定された押棒を備えた乳母車全体を覆う形状をしており、前後方向に延在する中央カバー部分と、この中央カバー部分の両側縁に接続された左右の側面カバー部分とを有する。乳母車用カバーには、押棒の上端部分を露出させるためのスリットまたは隙間が形成されている。
【０００３】
実開平５−３２２２１号公報および実用新案登録第３０９４７２０号公報に開示された乳母車は、背面押しの状態で固定された押棒を備える形式のものであり、これらの公報に開示された乳母車用カバーは、この種の固定式押棒を備えた乳母車に適用可能なものである。
【０００４】
特開平１−１０６７７２号公報（特許文献３）は、回動式押棒を備えた乳母車を開示している。具体的には、その下端部が車体に回動可能に連結された押棒は、背面押しの状態と対面押しの状態とに切換え可能となっている。
【特許文献１】実開平５−３２２２１号公報
【特許文献２】実用新案登録第３０９４７２０号公報
【特許文献３】特開平１−１０６７７２号公報
【発明の開示】
【発明が解決しようとする課題】
【０００５】
実開平５−３２２２１号公報や、実用新案登録第３０９４７２０号公報に開示された乳母車用カバーは、背面押しの状態で固定された押棒を備える形式の乳母車に適用可能なものである。そのため、この乳母車用カバーを、特開平１−１０６７７２号公報に開示されたような回動式押棒を備えた乳母車に適用しようとする場合には、押棒を背面押しの状態にして使用しなければならない。言い換えれば、押棒を対面押しの状態にした場合には、乳母車用カバーを適正に使用することができない。
【０００６】
この発明の目的は、背面押しの状態と対面押しの状態とに切換え可能な押棒を備えた乳母車に適した乳母車用カバーを提供することである。
【課題を解決するための手段】
【０００７】
この発明に従った乳母車用カバーは、背面押しの状態と対面押しの状態とに切換え可能な押棒を備える乳母車に適用されるものである。押棒は、その下端部が車体に回動可能に連結される。乳母車用カバーは、前後方向に延在する中央カバー部分と、この中央カバー部分の両側縁に接続された左右の側面カバー部分とを有する。各側面カバー部分には、押棒を通過させ、この押棒の回動運動を許容するスリットが設けられている。
【０００８】
上記構成の乳母車用カバーによれば、押棒がスリット内を移動し得るので、乳母車用カバーを乳母車車体上に取付けた状態のままで、押棒を背面押しの状態と対面押しの状態とに切換え可能である。
【０００９】
好ましくは、スリットには、任意の部位を開閉可能とする開閉手段が設けられている。このような構成であれば、押棒の位置する部分を除く他のスリット部分を閉鎖することができるので、すきま風等がカバー内に入り込むのを防止できる。
【００１０】
一つの実施形態では、乳母車用カバーのスリットの一方端は、各側面カバー部分の下端縁にまで延びている。また、他の実施形態では、スリットには、各側面カバー部分の下端縁から上方に延びた縦スリットが連絡している。このようにすれば、押棒を容易にスリット内に位置させることができる。
【００１１】
開閉手段の構造としては種々のものが考えられるが、一つの実施形態では、開閉手段は、スリットに沿って設けられたスライドファスナを含む。スライドファスナは、例えば、スリットに沿って設けられたスライドレールと、このスライドレールに沿って移動可能な２個のスライダとを含む。他の例の開閉手段は、スリットに沿って配置された複数の止めボタンを含む。
【００１２】
一つの実施形態では、乳母車用カバーは、中央カバー部分に形成された窓と、この窓の縁部に設けられた縁部連結部材とをさらに備える。縁部連結部材は、窓を折り曲げた状態にして、窓の一方の縁部と他方の縁部とを連結して窓を袋状の形態にするものである。より具体的には、縁部連結部材は、窓の一方の縁部に沿って設けられた第１縁部スライドレールと、窓の他方の縁部に沿って設けられた第２縁部スライドレールと、第１縁部スライドレールと第２縁部スライドレールとに沿って移動し、両者を係合させる縁部スライダとを含む。このような構成であれば、乳母車用カバーを使用しないときに、袋状の形態にした窓部材内に折畳んで収納しておくことができる。
【発明の効果】
【００１３】
以上のように、この発明に従った乳母車用カバーは、背面押しの状態と対面押しの状態とに切換え可能な押棒を備えた乳母車に適用することができる。
【発明を実施するための最良の形態】
【００１４】
図１〜図７は、この発明の一実施形態に係る乳母車用カバーを示している。乳母車用カバー１０は、背面押しの状態と対面押しの状態とに切換え可能な押棒１を備える乳母車に使用されるものである。押棒１は、その下端部が乳母車車体に回動可能に連結されている。図２および図４においては、押棒１が背面押しの状態になっている。図３では、対面押しの状態にある押棒１を実線で示し、背面押しの状態にある押棒１を２点鎖線で示している。
【００１５】
乳母車用カバー１０は、乳母車の全体を覆う形状をしており、前後方向に延在する中央カバー部分１１と、この中央カバー部分１１の両側縁に接続された左右の側面カバー部分１２とを有する。中央カバー部分１１は、座席の前方に位置する前面部分１１ａと、上方に位置する上面部分１１ｂと、後方に位置する後面部分１１ｃとを有する。座席内をよく見えるようにするために、乳母車用カバー１０の全体を透明なシートで形成するようにしてもよい。
【００１６】
図示した実施形態では、座席内を適度な明るさに保つために乳母車用カバー１０を着色シートで形成し、中央カバー部分１１の全面部分１１ａに透明シートからなる窓２１を設けている。
【００１７】
中央カバー部分１１と各側面カバー部分１２とは、その境界線全長に亘って接続されているが、前方側に位置する前方連結部１３および後方側に位置する後方連結部１４は、開閉可能とされている。この開閉可能な構造を実現するために、図示した実施形態では、前方連結部１３および後方連結部１４は、ともにスライドファスナによって構成されている。前方連結部１３に位置するスライダ１５を上方にスライド移動させれば、図４に示すように、中央カバー部分１１の前面部分１１ａを上方にめくり上げることができる。子供を座席に乗せたり、座席から降ろしたりするときに、前面部分１１ａをめくり上げて座席の前方を開放する。後方連結部１４に位置するスライダ１６を上方にスライド移動させれば、中央カバー部分１１の後面部分１１ｃを上方にめくり上げることができる。
【００１８】
図示するように、各側面カバー部分１２には、押棒１を通過させ、この押棒１の回動運動を許容するスリット１７が設けられている。スリット１７の前方端は側面カバー部分１２内の位置にあるが、後方端は側面カバー部分１２の下方端縁にまで延びている。
【００１９】
スリット１７には、任意の部位を開閉可能とする開閉手段が設けられている。
【００２０】
図示した実施形態では、スリット１７は、スライドファスナによって構成されている。具体的には、スライドファスナは、スリットに沿って設けられたスライドレール１８と、スライドレール１８に沿って移動可能な２個のスライダ１９、２０とを含む。前方に位置するスライダ１９を前方に移動させればスリット１７が開き、後方に移動させればスリット１７が閉じる。後方に位置するスライダ２０を前方に移動させればスリット１７が閉じ、後方または下方に移動させればスリット１７は開く。スリット１７の後方端が側面カバー部分１２の下方端縁にまで延びているので、側面カバー部分１２の下方領域を前後に分離することができる。従って、押棒１の縦棒部分を容易にスリット１７内に位置させることができる。
【００２１】
図２および図３に示すように、２個のスライダ１９、２０を動かすことにより、スリット１７の任意の部位のみを開くようにすることができる。具体的には、押棒１の縦棒部分を通過させる所だけを開き、残りの部分を閉鎖することにより、すきま風等がカバー１０内に入り込むのを阻止できる。
【００２２】
図５は、中央カバー部分１１の前面部分１１ａに形成された窓２１に関連する構造を拡大して示している。図示した実施形態に係る乳母車用カバー１０は、窓２１の縁部に設けられた縁部連結部材をさらに備える。縁部連結部材は、窓２１を折り曲げた状態にして、窓２１の一方の縁部と他方の縁部とを連結して窓２１を袋状の形態にするものである。
【００２３】
図示した実施形態における縁部連結部材は、窓２１の一方の縁部に沿って設けられた第１縁部スライドレール２２と、窓２１の他方の縁部に沿って設けられた第２縁部スライドレール２３と、第１縁部スライドレール２２および第２縁部スライドレール２３に沿って移動し、両者を係合させる縁部スライダ２４とを含む。
【００２４】
窓２１の縁部の一方の端には連結バックルの一方部品となる差込具２５が取付けられ、他方の端には連結バックルの他方部品となる受入具２６が取付けられている。また、差込具２５には、ループ部２７が連結されている。
【００２５】
乳母車用カバー１０を使用しないときには、カバー１０を小さく折畳んで袋状の形態にした窓２１内に収納する。その状態が、図６に示されている。図６に示す状態では、スライダ２４が第１および第２縁部スライドレール２２、２３を係合させて袋状の形態を維持している。この状態から、図７に示すように、さらに中央を折り曲げて差込具２５と受入具２６とを連結すれば、折畳んだ状態の乳母車用カバーの大きさはかなり小さくなるので、持ち運びに便利となる。ループ部２７を乳母車の車体に連結するようにしてもよい。
【００２６】
図８および図９は、この発明の他の実施形態に係る乳母車用カバー３０を示している。この実施形態では、乳母車用カバー３０の各側面カバー部分に、前後方向に延びるスリット３１と、各側面カバー部分の下端縁から上方に延びた縦スリット３２とが形成されている。縦スリット３２の上方端は、スリット３１に連絡している。前後方向に延びるスリット３１は、図８に示すように、背面押しの状態と対面押しの状態とに切換え可能な押棒１の回動を許容するものである。また、縦スリット３２は、前後方向に延びるスリット３１の下に位置する側面カバー部分を前後に分離するので、押棒１の縦棒部分をスリット３１内に位置させることが可能になる。
【００２７】
縦スリット３２を開閉可能にするために、図示した実施形態では、縦スリット３２はスライドファスナによって構成される。具体的は、縦スリット３２を構成するスライドファスナは、スライドレール３３と、このスライドレール３３に沿って移動するスライダ３４とを備える。
【００２８】
前後方向に延びるスリット３１の任意の部位を開閉可能とするために、図示した実施形態では、柔らかい蓋部材３５と、複数の止めボタン３６とが設けられている。蓋部材３５はスリット３１を覆うことができるようになっており、いずれかの位置にある止めボタン３６を止めることにより、所望の部分のスリットを開くことができる。
【００２９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３０】
この発明は、背面押しの状態と対面押しの状態とに切換え可能な押棒を備えた乳母車に適したカバーとして有利に利用され得る。
【図面の簡単な説明】
【００３１】
【図１】この発明の一実施形態に係る乳母車用カバーを示す斜視図である。
【図２】背面押しの状態になっている乳母車にカバーを装着した状態を示す斜視図である。
【図３】対面押しの状態になっている乳母車にカバーを装着した状態を示す側面図である。
【図４】中央カバー部分の前面部分を上にめくり上げた状態を示す斜視図である。
【図５】窓に関連した構造を拡大して示す図である。
【図６】乳母車用カバーを袋状の形態にした窓部材の中に収納した状態を示す図である。
【図７】図６に示す状態から、中央部分を折り曲げてさらに小さくした状態を示す図である。
【図８】この発明の他の実施形態に係る乳母車用カバーを乳母車に装着した状態を示す斜視図である。
【図９】側面カバー部分に形成されたスリットの部分を示す図である。
【符号の説明】
【００３２】
１  押棒、１０  乳母車用カバー、１１  中央カバー部分、１１ａ  前面部分、１１ｂ  上面部分、１１ｃ  後面部分、１２  側面カバー部分、１３  前方連結部、１４  後方連結部、１５，１６  スライダ、１７  スリット、１８  スライドレール、１９，２０  スライダ、２１  窓、２２  第１縁部スライドレール、２３  第２縁部スライドレール、２４  縁部スライダ、２５  差込具、２６  受入具、２７  ループ部、３０  乳母車用カバー、３１  スリット、３２  縦スリット、３３  スライドレール、３４  スライダ、３５  蓋部材、３６  止めボタン。
【図１】
2006224711.tif 000003
【図２】
2006224711.tif 000004
【図３】
2006224711.tif 000005
【図４】
2006224711.tif 000006
【図５】
2006224711.tif 000007
【図６】
2006224711.tif 000008
【図７】
2006224711.tif 000009
【図８】
2006224711.tif 000010
【図９】
2006224711.tif 000011